(57)【要約】【課題】簡単な操作で、画像データの送信時に、送信ヘッダを付加する設定状態に適応して、登録されている相手先情報に適応する敬称を付加した受信先で好印象となる送信ヘッダを作成することである。【解決手段】画像データの送信先となる相手先情報と該相手先情報に付加すべき敬称情報をＲＡＭ１０４の不揮発性領域に記憶した後、ＲＡＭ１０４に登録される相手先情報と該相手先情報に付加すべき敬称情報との登録状態に基づいて作成される送信ヘッダと画像データとを合成して相手先に送信する第１の送信と、画像データを相手先に送信する第２の送信とをＣＰＵ１０１が制御する構成を特徴とする。【選択図】図１
2006041973.tif 000002
【特許請求の範囲】
【請求項１】
所定の通信媒体を介して画像データの送受信処理を行う画像通信制御装置であって、
前記画像データの送信先となる相手先情報と該相手先情報に付加すべき敬称情報を記憶可能な記憶手段と、
前記画像データの送信時に、前記画像データに対して送信ヘッダを付加するか否かを設定する複数の設定手段と、
前記記憶手段に対する相手先情報と該相手先情報に付加すべき敬称情報との登録状態に基づいて送信ヘッダを作成する作成手段と、
前記複数の設定手段による設定状態を判別して、前記作成手段により作成される送信ヘッダと前記画像データとを合成して相手先に送信する第１の送信と、前記画像データを相手先に送信する第２の送信とを制御する制御手段と、
を有することを特徴とする画像通信制御装置。
【請求項２】
前記制御手段は、前記複数の設定手段による設定状態を優先順位に基づいて階層的に判別することを特徴とする請求項１記載の画像通信制御装置。
【請求項３】
前記優先順位は、操作部からの設定、ボタン登録されている相手先情報付加有無の設定、装置に登録される相手先情報付加有無の設定の順に決定されることを特徴とする請求項１記載の画像通信制御装置。
【請求項４】
前記作成手段は、前記記憶手段に対する相手先情報に対する敬称情報が登録されていない場合、前記相手先情報からなる送信ヘッダを作成することを特徴とする請求項１記載の画像通信制御装置。
【請求項５】
画像データの送信先となる相手先情報と該相手先情報に付加すべき敬称情報を記憶可能な記憶手段を備え、所定の通信媒体を介して画像データの送受信処理を行う画像通信制御装置における画像通信制御方法であって、
前記画像データの送信時に、前記画像データに対して送信ヘッダを付加するか否かを設定する複数の設定ステップと、
前記記憶手段に対する相手先情報と該相手先情報に付加すべき敬称情報との登録状態に基づいて送信ヘッダを作成する作成ステップと、
前記複数の設定ステップによる設定状態を判別して、前記作成ステップにより作成される送信ヘッダと前記画像データとを合成して相手先に送信する第１の送信と、前記画像データを相手先に送信する第２の送信とを制御する制御ステップと、
を有することを特徴とする画像通信制御方法。
【請求項６】
前記制御手段は、前記複数の設定ステップによる設定状態を優先順位に基づいて階層的に判別することを特徴とする請求項５記載の画像通信制御方法。
【請求項７】
前記優先順位は、操作部からの設定、ボタン登録されている相手先情報付加有無の設定、装置に登録される相手先情報付加有無の設定の順に決定されることを特徴とする請求項５記載の画像通信制御方法。
【請求項８】
前記作成ステップは、前記記憶手段に対する相手先情報に対する敬称情報が登録されていない場合、前記相手先情報からなる送信ヘッダを作成することを特徴とする請求項５記載の画像通信制御方法。
【請求項９】
請求項５〜８のいずれかに記載の画像通信制御方法を実行させるためのプログラムを格納したことを特徴とするコンピュータが読み取り可能な記憶媒体。
【請求項１０】
請求項５〜８のいずれかに記載の画像通信制御方法を実行させることを特徴とするプログラム。
【発明の詳細な説明】
【技術分野】
【０００１】
本発明は、所定の通信媒体を介して画像データの送受信処理を行う画像通信制御装置および画像通信制御方法およびコンピュータが読み取り可能なプログラムを格納した記憶媒体およびプログラムに関するものである。
【背景技術】
【０００２】
従来、この種の画像通信制御装置の機能の一つとして、送信画像データに、発信元情報（日時情報や送信元の電話番号や名称等）及び相手先情報（送信先の電話番号や名称等）を送信ヘッダとして、画像の先頭に付加して送信する機能がある（例えば特許文献１参照）。
【０００３】
そして、送信ヘッダには、受信側が受信文書の出所や受信時間などを把握し、また受け取り人が誰であるかを判別できるというメリットがあり、特にファクシミリ通信では当たり前の機能となっている。
【０００４】
ところで相手先情報は、通常ワンタッチ、短縮ダイヤルや宛先表等の電話番号登録手段に、電話番号とともに登録された名称（以下相手先略称）を印字することが通常である。
【特許文献１】特開平７−１５４５７２号公報
【発明の開示】
【発明が解決しようとする課題】
【０００５】
しかしながら、ワンタッチ、短縮ダイヤルや宛先表に登録する相手先略称は、通常相手の名前だけが登録され、そのまま送信ヘッダとして印字される。
【０００６】
そのため、受け取り側から見ると、敬称がつかず、呼び捨てされた感があり、相手に失礼にあたる場合があった。
【０００７】
また、名称登録時に「様」や「さん」を最後に入力する方法もあるが、相手先略称の桁数には通常制限があるため、長い名称を登録する時には入力できない場合がある。また、操作的にも面倒となる場合もあった。
【０００８】
さらに、送信ヘッダ時に自動的に「様」「さん」等を付加する方法もあるが、相手先略称が会社名や、所定の団体の場合と、個人名の場合では敬称が異なるので、無条件に付加すると返って不自然な場合があった。
【０００９】
本発明は、上記の課題を解決するためになされたもので、本発明の目的は、複数の相手先情報の付加設定状態を判別して、記憶手段に登録される相手先情報と該相手先情報に付加すべき敬称情報との登録状態に基づいて作成される送信ヘッダと前記画像データとを合成して相手先に送信する第１の送信と、前記画像データを相手先に送信する第２の送信とを制御することにより、簡単な操作で、画像データの送信時に、送信ヘッダを付加する設定状態に適応して、登録されている相手先情報に適応する敬称を付加した受信先で好印象となる送信ヘッダを作成して画像データを送信できる利便性に優れた画像データ送信処理を実現できる画像通信制御装置および画像通信制御方法およびコンピュータが読み取り可能なプログラムを格納した記憶媒体およびプログラムを提供することである。
【課題を解決するための手段】
【００１０】
上記目的を達成する本発明の画像通信制御装置は以下に示す構成を備える。
【００１１】
所定の通信媒体を介して画像データの送受信処理を行う画像通信制御装置であって、前記画像データの送信先となる相手先情報と該相手先情報に付加すべき敬称情報を記憶可能な記憶手段と、前記画像データの送信時に、前記画像データに対して送信ヘッダを付加するか否かを設定する複数の設定手段と、前記記憶手段に対する相手先情報と該相手先情報に付加すべき敬称情報との登録状態に基づいて送信ヘッダを作成する作成手段と、前記複数の設定手段による設定状態を判別して、前記作成手段により作成される送信ヘッダと前記画像データとを合成して相手先に送信する第１の送信と、前記画像データを相手先に送信する第２の送信とを制御する制御手段とを有することを特徴とする。
【００１２】
上記目的を達成する本発明の画像通信制御方法は以下に示す構成を備える。
【００１３】
画像データの送信先となる相手先情報と該相手先情報に付加すべき敬称情報を記憶可能な記憶手段を備え、所定の通信媒体を介して画像データの送受信処理を行う画像通信制御装置における画像通信制御方法であって、前記画像データの送信時に、前記画像データに対して送信ヘッダを付加するか否かを設定する複数の設定ステップと、前記記憶手段に対する相手先情報と該相手先情報に付加すべき敬称情報との登録状態に基づいて送信ヘッダを作成する作成ステップと、前記複数の設定ステップによる設定状態を判別して、前記作成ステップにより作成される送信ヘッダと前記画像データとを合成して相手先に送信する第１の送信と、前記画像データを相手先に送信する第２の送信とを制御する制御ステップとを有することを特徴とする。
【発明の効果】
【００１４】
本発明によれば、簡単な操作で、画像データの送信時に、送信ヘッダを付加する設定状態に適応して、登録されている相手先情報に適応する敬称を付加した受信先で好印象となる送信ヘッダを作成して画像データを送信できる利便性に優れた画像データ送信処理を実現できるという効果を奏する。
【発明を実施するための最良の形態】
【００１５】
次に本発明を実施するための最良の形態について図面を参照して説明する。
【００１６】
＜システム構成の説明＞
図１は、本発明の一実施形態を示す画像通信制御装置の構成を説明するブロック図である。
【００１７】
図１において、１０１はＣＰＵで、ＲＯＭ１０３に記憶される制御プログラムをＲＡＭ１０４にロードして実行することで、システムバス１００に接続される各デバイスを総括的に制御する。
【００１８】
１０２はＣＬＯＣＫ源で、ＩＣ等で構成され、動作間隔等を計測するためのクロック信号を発生する。ＲＯＭ１０３は、ＣＰＵ１０１の制御プログラムを格納する。ＲＡＭ１０４は、ＳＲＡＭ等で構成され、ＣＰＵ１０１のワークメモリとして機能し、プログラム制御変数などを格納する。また、登録された設定値、装置の管理データ、各ワーク用バッファなどもＲＡＭ１０４に格納される。
【００１９】
１０５はメモリ部は、ＤＲＡＭなどで構成され、画像等のデータを蓄積する。１０６は操作部で、キーボード、表示部等で構成され、オペレータが各種操作を行う。なお、操作部には、図示しない番号キーと、短縮ボタンとして機能する記号ボタン、あるいは、送信先をワンタッチで確定するためのワンタッチキーが配置されており、ユーザによる操作で、それぞれのキーに対応して、送信先を番号登録することができるとともに、その際に、ユーザが選択する敬称情報として、「様」、「さん」、「御中」、「Ｄｅａｒ」等を登録可能に構成されている。
【００２０】
１０７は符号化復号化部で、情報の符号化復号化を行う。１０８は読み取り部で、ＣＳイメージセンサと、原稿搬送機構等を備え、原稿を光学的に読み取り、電気的な画像データに変換する。
【００２１】
１０９は記録部で、画像やファイルデータを紙に記録する。記録部１０９は、感熱紙を利用する場合と、普通紙を利用する場合とがあるが、本発明の適用に制限はない。１１０はＣＧ  ＲＯＭで、文字コード情報が記憶されている。なお、ＣＧ  ＲＯＭ１１０には、送信画像のヘッダ部に付加する文字コード情報も記憶されている。
【００２２】
１１１は通信制御部で、公衆回線に接続され、ＩＳＤＮ回線を介した通信全体を制御する。１１２は通信管理部で、通信情報データや、通信用画像データの管理を行う。１１３はＣＧ展開処理部で、ＣＧ  ＲＯＭ１１０から読み出した文字列情報を画像情報に展開する。
【００２３】
図２は、図１に示したＲＡＭ１０４上に記憶される装置情報パラメータ１１００のデータ構造を説明する図である。
【００２４】
図２において、１１０１はｕｓｅｒ＿ｎａｍｅで、装置に登録されている略称名がポインタ形式で繋がれる。１１０２はｕｓｅｒ＿ｔｅｌで、装置に登録されている電話番号がポインタ形式で繋がれる。１１０３はｄａｔｅで、日付情報であり、その内容は毎日更新される。１１０４はｔｉｍｅで、時間情報であり、図１に示したクロック源１０２で管理され、毎分更新される。１１０５はｔｔｉ＿ｐｏｓｉｔｉｏｎで、送信ヘッダの印字位置を特定するための、例えばＸ，Ｙの座標値が設定される。
【００２５】
１１０６はｔｅｒｍｉｎａｔｅ＿ｉｄで、発信元記録に相手先略称を付加するか否かを示す情報が装置情報１１００として設定される。
【００２６】
図３は、図１に示したＲＡＭ１０４上に記憶される通信管理情報パラメータの一例を示す図である。
【００２７】
なお、本実施形態において、１つの通信管理情報は、ＪＯＢ＿ＱＵＥＵＥ（１２００）という形で記憶されて管理される。
【００２８】
図３において、１２０１はｃｏｍ＿ｎｏで、通信管理番号である。１２０２はｃｏｍ＿ｍｏｄｅで、回線種別（ＰＳＤＮ／ＩＳＤＮ等）を示す。１２０３はｊｏｂ＿ｍｏｄｅで、通信種別（Ｇ３通信／Ｇ４通信等）を示す。１２０４はｓｔａｒｔ＿ｔｉｍｅで、通信開始時間を示す。
【００２９】
１２０５はｃｏｍ＿ｔｉｍｅで、通信時間を示す。１２０６はｏｋ＿ｐａｇｅで、正常に通信されたページ数を示す。１２０７はｎｇ＿ｐａｇｅで、正常に通信されなかったページ数を示す。１２０８はｔｏｔａｌ＿ｐａｇｅで、総ページ数を示す。１２０９はｒｅｓｕｌｔで、通信ステータス（発呼待ち、正常終了、エラー等）を示す。１２１０はａｄｒｓ＿ｐｔｒで、通信宛先情報がポインタ形式で繋がれる。
【００３０】
１２１１はｔｅｒｍｉｎａｔｅ＿ｉｄで、発信元記録に相手先略称を付加するか否かを示し、相手先略称を付ける／付けない／番号のみ付ける／相手先設定（宛先設定）に従うのいずれかを示す情報が設定される。なお、ｔｅｒｍｉｎａｔｅ＿ｉｄ１２１１は、後述する図７に示すステップ（２０８）で参照される。
【００３１】
１２１２はｐａｇｅ＿ｐｔｒで、該通信情報に対応する画像情報がポインタ形式で繋がれる。１２１３はｎｅｘｔ＿ｐｔｒで、次の通信管理情報がポインタ形式で繋がれる。１２１４は宛先情報である。１２１６はＪＯＢ＿ＱＵＥＵＥである。
【００３２】
図４は、図１に示したＲＡＭ１０４上に記憶される画像情報（ＰＡＧＥ＿ＲＥＣ：１３００）の管理データの一例を示す図である。
【００３３】
図４において、１３０１はｎｅｘｔ＿ｐｔｒで、画像情報が複数ページ存在する場合に、次ページ以降のＰＡＧＥ＿ＲＥＣがポインタ形式で繋がれる。１３０２はｐａｇｅ＿ｔｙｐｅで、ページ種別（画像、ＴＥＸＴ等）を示す。
【００３４】
１３０３はｃｏｄｅ＿ｔｙｐｅで、格納情報の符号化種別（ＭＨ／ＭＲ／ＭＭＲ／ＪＢＩＧ／ＴＥＸＴ等）を示す。１３０４はｐａｇｅ＿ｄｅｎｔで、画像データの解像度（ＳＴＤ／ＦＩＮＥ等）を示す。１３０５はｐａｇｅ＿ｓｉｚｅで、画像データのサイズ（Ａ３／Ｂ４／Ａ４等）を示す。１３０６はｐａｇｅ＿ｎｏで、該画像のページ番号を示す。１３０７はｒｅｓｕｌｔで、該ページの通信結果を示す。１３０８はｉｍｇ＿ｐｔｒで、画像データを格納する画像バッファ１３１０がポインタ形式で繋がれる。１３０９はＰＡＧＥ＿ＲＥＣである。
【００３５】
図５は、図１に示したＲＡＭ１０４上に記憶される宛先情報パラメータの一例を示す図であり、図３に示した宛先情報１２１４の詳細に対応する。
【００３６】
図５において、１４０１はａｄｒｓ＿ｎｕｍで、ワンタッチ番号等の管理番号である。１４０２はｃｏｍ＿ｍｏｄｅで、回線種別（ＰＳＤＮ／ＩＳＤＮ等）を示す。１４０３はｊｏｂ＿ｍｏｄｅで、通信種別（Ｇ３通信／Ｇ４通信等）を示す。１４０４はｔｘ＿ｓｔａｒｔ＿ｓｐｅｅｄで、Ｇ３通信時の送信開始速度を示す。１４０５はｓｔａｒｔ＿ｔｉｍｅで、タイマ送信設定時の、通信開始時間を示す。
【００３７】
１４０６はｄｉａｌ＿ｐｔｒで、相手先番号が格納された領域１４１２を示すポインタである。１４０７はＦｃｏｄｅで、Ｆコード番号が格納された数値設定の領域１４１３を示すポインタである。１４０８はＰａｓｓＷｏｒｄで、パスワードが格納された数値設定の領域１４１４を示すポインタである。
【００３８】
１４０９はｎａｍｅで、相手先略称が格納された文字指定の領域１４１５を示すポインタであり、相手先略称に適応する、「様」、「さん」、「御中」、「Ｄｅａｒ」等のいずれかが記憶されている。なお、相手先略称に適応する、「様」、「さん」、「御中」、「Ｄｅａｒ」等は、操作部１０６の操作により、入力可能に構成されている。
【００３９】
１４１０はｔｅｒｍｉｎａｔｅ＿ｉｄで、送信ヘッダに相手先略称を付加するか否かを示す情報が設定される、相手先略称を付ける／付けない／番号のみ付ける／装置設定に従うのいずれかを示す情報が設定される。なお、ｔｅｒｍｉｎａｔｅ＿ｉｄ１４１０は、後述する図７に示すステップ（２０９）で参照される。
【００４０】
図６は、図１に示したＲＡＭ１０４上に記憶される送信ヘッダの一例を示す図であり、例えば図５に示すｔｅｒｍｉｎａｔｅ＿ｉｄ１４１０の値に応じて、（ａ）は相手先略称付加時の発信元記録を伴う送信ヘッダ（ｔｅｒｍｉｎａｔｅ＿ｉｄ１４１０が付ける場合）を示し、（ｂ）は相手先略称無し時の発信元記録を伴う送信ヘッダ（ｔｅｒｍｉｎａｔｅ＿ｉｄ１４１０が付けない場合）を示し、（ｃ）は相手先番号のみ時の発信元記録を伴う送信ヘッダ（ｔｅｒｍｉｎａｔｅ＿ｉｄ１４１０が番号のみ付ける場合）を示す。
【００４１】
なお、本実施形態では、相手先略称をヘッダに付加するか否かの設定方法には次の３通りある。
【００４２】
第１は送信操作時にユーザの設定による場合、第２はワンタッチ、短縮ダイヤル等の宛先情報に、宛先毎の設定による場合（宛先情報１４００に設定されている内容に従う）、第３は装置設定による場合であり、その優先順位は、第１＞第２＞第３となる。
【００４３】
本実施形態に係る画像通信制御装置は、以下の特徴的構成を備える。
【００４４】
所定の通信媒体（例えば通信回線網等）を介して画像データの送受信処理を行う画像通信制御装置である。
【００４５】
そして、前記画像データの送信先となる相手先情報と該相手先情報に付加すべき敬称情報を記憶可能な記憶手段（例えば図１に示すＲＡＭ１０４の不揮発性領域に記憶される）を備え、前記画像データの送信時に、前記画像データに対して送信ヘッダを付加するか否かを設定する複数の設定手段、例えば図１に示す操作部１０６からの操作による設定、図１に示す操作部１０６に配置される、例えば図１に示すＲＡＭ１０４の不揮発性領域に登録される短縮ボタン、あるいはワンタッチボタンに割り当てられた送信先情報に対する設定等を備える。
【００４６】
また、記憶手段に対する相手先情報と該相手先情報に付加すべき敬称情報との登録状態に基づいて送信ヘッダを、例えば図１に示すＣＰＵ１０１が、例えば図７に示すステップ（２０７），（２１８），（２１７）を実行することで作成する。
【００４７】
そして、前記複数の設定手段による設定状態を判別して、前記作成手段により作成される送信ヘッダと前記画像データとを合成して相手先に送信する第１の送信と、前記画像データを相手先に送信する第２の送信とを、例えば図１に示すＣＰＵ１０１が、例えば図７に示すステップ（２０８）〜（２１６），（２２０）とを実行して送信制御を行う。
【００４８】
これにより、簡単な操作で、画像データの送信時に、送信ヘッダを付加する設定状態に適応して、登録されている相手先情報に適応する敬称を付加した受信先で好印象となる送信ヘッダを作成して画像データを送信できる利便性に優れた画像データ送信処理を実現できる。
【００４９】
また、制御手段は、前記複数の設定手段による設定状態の優先順位を、上述したように、第１は送信操作時にユーザの設定による場合、第２はワンタッチ、短縮ダイヤル等の宛先情報に、宛先毎の設定による場合（宛先情報１４００に設定されている内容に従う）、第３は装置設定による場合であり、その優先順位は、第１＞第２＞第３となる）に基づいて階層的に判別する。
【００５０】
これにより、画像データの送信時に、何ら相手先の付加操作指示がない場合でも、登録されている相手先情報を参照することで、適応する敬称を自動的に付加した送信ヘッダを作成できる。
【００５１】
さらに、前記優先順位は、操作部からの設定、ボタン登録されている相手先情報付加有無の設定、装置に登録される相手先情報付加有無の設定の順に決定される。
【００５２】
これにより、画像データの送信時に、何ら相手先の付加操作指示がない場合でも、操作部からの設定、ボタン登録されている相手先情報付加有無の設定、装置に登録される相手先情報付加有無の設定の順に判別されながら登録されている相手先情報を参照して、適応する敬称を自動的に付加した送信ヘッダを作成できる。
【００５３】
また、作成手段は、記憶手段に対する相手先情報に対する敬称情報が登録されていない場合、前記相手先情報からなる送信ヘッダを、例えば図１に示すＣＰＵ１０１が図７に示すステップ（２１７）実行して作成する。
【００５４】
これにより、相手先情報に対する敬称情報が登録されていない場合には、必要最小限の相手先情報を付加した送信ヘッダを作成することができる。
【００５５】
図７は、本発明に係る画像通信制御装置におけるデータ処理手順の一例を示すフローチャートであり、ヘッダ情報を伴う一連の画像通信制御手順に対応する。なお、（２０１）〜（２２０）は各ステップを示し、各ステップは、ＣＰＵ１０１がＲＯＭ１０３等から読み出される制御プログラムをＲＡＭ１０４にロードして実行することで実現される。
【００５６】
ユーザが操作部１０６から送信操作を行い、図示しないスタートキーを押すと（２０１）、ＣＰＵ１０１は、図３に示した送信用のＪＯＢ＿ＱＵＥＵＥ１２００をＲＡＭ１０４上に作成する（２０２）。そして、図３に示したＡｄｒｓ＿ｐｔｒ１２１０に相手先情報１２１４をセットする（２０３）。なお、宛先情報１４００は、図５に示したデータ構造となっている。
【００５７】
そして、Ｔｅｒｍｉｎａｔｅ＿ｉｄ１２１１が操作時に入力されていれば、ＪＯＢ＿ＱＵＥＵＥのｔｅｒｍｉｎａｔｅ＿ｉｄ１２１１にセットする（２０４）。次に、読み取り部１０８が送信原稿を読み込み、二値データに変換し、ＪＯＢ＿ＱＵＥＵＥ１２００のｐａｇｅ＿ｐｔｒ１２１２にセットする（２０５）。
【００５８】
そして、装置情報１１００のｔｔｉ＿ｐｏｓｉｔｉｏｎ１１０５を参照し、送信画像に送信ヘッダを付けるか否かをＣＰＵ１０１が判断し（２０６）、判断の結果、付加しないと判断した場合は、送信ヘッダは作成せず、送信画像データのみを送信符号に変換し、送信して（２２０）、本処理を終了する。
【００５９】
一方、ステップ（２０６）で、送信ヘッダを付けると判断した場合は、まず、装置情報１１００の自機略称ｕｓｅｒ＿ｎａｍｅ１１０１、ｕｓｅｒ＿ｔｅｌ１１０２、ｄａｔｅ１１０３、ｔｉｍｅ１１０４より、送信ヘッダ情報となる文字列をＣＰＵ１０１が作成する（２０７）。
【００６０】
なお、送信ヘッダに相手先略称を付加するか否かの判断は、上記優先順位に従い、ｔｅｒｍｉｎａｔｅ＿ｉｄ１２１１の設定を参照して行う。
【００６１】
次に、送信ＪＯＢ＿ＱＵＥＵＥ１２００のｔｅｒｍｉｎａｔｅ＿ｉｄ１２１１が、送信操作時にセットされているか否かをＣＰＵ１０１が判断して（２０８）、参照の結果、設定がないと判断した場合（送信時に操作別設定がされていない）、あるいは、設定が「宛先設定」となっていると判断した場合は、Ａｄｒｓ＿ｐｔｒ１２１０につながった宛先情報１２１４のｔｅｒｍｉｎａｔｅ＿ｉｄ１４１０を参照して（２０９）、ｔｅｒｍｉｎａｔｅ＿ｉｄ１２１１が設定されているかどうかを判断し、Ａｄｒｓ＿ｐｔｒ１２１４のｔｅｒｍｉｎａｔｅ＿ｉｄ１４１０参照の結果、設定がないと判断した場合、あるいは「装置設定」となっている場合は、装置情報１１００のｔｅｒｍｉｎａｔｅ＿ｉｄ１１０６を相手先略称の付加設定のための参照対象として（２１２）、ステップ（２１５）へ進む。
【００６２】
一方、ステップ（２０９）で、Ａｄｒｓ＿ｐｔｒ１２１４のｔｅｒｍｉｎａｔｅ＿ｉｄ１４１０参照の結果、設定があると判断した場合は、該設定が装置に従うかどうかをＣＰＵ１０１が判断して（２１０）、装置に従うと判断した場合は、ステップ（２１２）へ進み、装置に従わないと判断した場合は、Ａｄｒｓ＿ｐｔｒ１２１４のｔｅｒｍｉｎａｔｅ＿ｉｄ１４１０を参照対象として（２１１）、ステップ（２１５）へ進む。
【００６３】
一方、ステップ（２０８）で、送信ＪＯＢ＿ＱＵＥＵＥ１２００のｔｅｒｍｉｎａｔｅ＿ｉｄ１２１１が、送信操作時にセットされていると判断した場合は、設定が宛先設定（Ａｄｒｓ＿ｐｔｒ１２１４のｔｅｒｍｉｎａｔｅ＿ｉｄ１４１０参照による場合）に従うか否かをＣＰＵ１０１が判断して（２１３）、宛先設定であると判断した場合は、ステップ（２１０）へ進み、宛先設定ででないと判断した場合は、ＪＯＢ＿ＱＵＥＵＥのｔｅｒｍｉｎａｔｅ＿ｉｄ１２１１を参照して（２１４）、ｔｅｒｍｉｎａｔｅ＿ｉｄを付けるか否かをＣＰＵ１０１が判断し（２１５）、付けないと判断した場合は、番号のみ付加するかどうかをＣＰＵ１０１が判断して（２１６）、番号のみでないと判断した場合は、ステップ（２１９）へ進む。
【００６４】
一方、ステップ（２１６）で、番号のみを付けると判断した場合は、宛先情報１４００のｄｉａｌ＿ｐｔｒ１４０６の情報（相手先番号）のみを文字列化し、送信ヘッダ情報に付加（図６の（ｃ）参照）して（２１７）、ステップ（２１９）へ進む。
【００６５】
一方、ステップ（２１５）で、ｔｅｒｍｉｎａｔｅ＿ｉｄを付けると判断した場合は、つまり、ｎａｍｅを付加する場合は、宛先情報１４００のｎａｍｅ１４０９及びｄｉａｌ＿ｐｔｒ１４０６の情報をＣＰＵ１０１が文字列化し、送信ヘッダ情報に付加（図６の（ａ）参照）する（２１８）。
【００６６】
そして、送信ヘッダの文字列が完成したら、それを画像に変換し、送信画像と結合、送信符号化し（２１９）、相手先に送信して（２２０）、処理を終了する。
【００６７】
上記実施形態によれば、特に必要でない場合は相手先略称を付加しないことで、相手に呼び捨てされた感を無駄に感じさせること無く、失礼にならないデータ送信結果を送信先の端末装置から出力させることができる。
【００６８】
また、ワンタッチ等にあらかじめ設定をしておくことで宛先毎に切り替えることも可能となり、操作性の優れた装置となる。
【００６９】
さらに、送信操作時にも個別設定を可能とすることで、ジョブ毎に切り替えが可能となり、きめこまやかな対応が可能な装置となる。
【００７０】
さらに、特別なハードウエアを必要としないため、コスト面においても優れた装置を提供することができる。
【００７１】
また、上記実施形態では、図７において、操作者を認証するステップが存在しないが、ユーザＩＤ毎に、同様にｔｅｒｍｉｎａｔｅ＿ｉｄを参照するポインタを設けて、認証済みのユーザＩＤに従い、同様のステップを実行することで、ユーザ別に送信先略称の設定を切り替え制御するように構成してもよい。
【００７２】
以下、図８に示すメモリマップを参照して本発明に係る画像通信制御装置で読み取り可能なデータ処理プログラムの構成について説明する。
【００７３】
図８は、本発明に係る画像通信制御装置で読み取り可能な各種データ処理プログラムを格納する記憶媒体のメモリマップを説明する図である。
【００７４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００７５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７６】
本実施形態における図７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７７】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７８】
この場合、記憶媒体から読み出されたプログラムコード自体が本発明の新規な機能を実現することになり、そのプログラムコードを記憶した記憶媒体は本発明を構成することになる。
【００７９】
従って、プログラムの機能を有していれば、オブジェクトコード、インタプリタにより実行されるプログラム、ＯＳに供給するスクリプトデータ等、プログラムの形態を問わない。
【００８０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【００８１】
この場合、記憶媒体から読出されたプログラムコード自体が前述した実施形態の機能を実現することになり、そのプログラムコードを記憶した記憶媒体は本発明を構成することになる。
【００８２】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００８３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００８４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８６】
本発明は上記実施形態に限定されるものではなく、本発明の趣旨に基づき種々の変形（各実施形態の有機的な組合せを含む）が可能であり、それらを本発明の範囲から排除するものではない。
【００８７】
本発明の様々な例と実施形態を示して説明したが、当業者であれば、本発明の趣旨と範囲は、本明細書内の特定の説明に限定されるものではない。
【００８８】
なお、本発明は、上記した実施形態に限定されるものではなく、本発明の要旨を逸脱しない範囲内において種々変更を加え得ることは勿論である。以下、その実施態様１〜１０について説明する。
【００８９】
〔実施態様１〕
所定の通信媒体（例えば通信回線網等）を介して画像データの送受信処理を行う画像通信制御装置であって、前記画像データの送信先となる相手先情報と該相手先情報に付加すべき敬称情報を記憶可能な記憶手段（例えば図１に示すＲＡＭ１０４の不揮発性領域に記憶される）と、前記画像データの送信時に、前記画像データに対して送信ヘッダを付加するか否かを設定する複数の設定手段（図１に示す操作部１０６からの操作による設定、図１に示す操作部１０６に配置される、例えば図１に示すＲＡＭ１０４の不揮発性領域に登録される短縮ボタン、あるいはワンタッチボタンに割り当てられた送信先情報に対する設定）と、前記記憶手段に対する相手先情報と該相手先情報に付加すべき敬称情報との登録状態に基づいて送信ヘッダを作成する作成手段（図１に示すＣＰＵ１０１が実行する、例えば図７に示すステップ（２０７），（２１８），（２１７））と、前記複数の設定手段による設定状態を判別して、前記作成手段により作成される送信ヘッダと前記画像データとを合成して相手先に送信する第１の送信と、前記画像データを相手先に送信する第２の送信とを制御する制御手段（図１に示すＣＰＵ１０１が実行する、例えば図７に示すステップ（２０８）〜（２１６），（２２０））とを有することを特徴とする画像通信制御装置。
【００９０】
これにより、簡単な操作で、画像データの送信時に、送信ヘッダを付加する設定状態に適応して、登録されている相手先情報に適応する敬称を付加した受信先で好印象となる送信ヘッダを作成して画像データを送信できる利便性に優れた画像データ送信処理を実現できる。
【００９１】
〔実施態様２〕
前記制御手段は、前記複数の設定手段による設定状態を優先順位（第１は送信操作時にユーザの設定による場合、第２はワンタッチ、短縮ダイヤル等の宛先情報に、宛先毎に設定による場合（宛先情報１４００に設定されている内容に従う）、第３は装置設定による場合であり、その優先順位は、第１＞第２＞第３となる）に基づいて階層的に判別することを特徴とする実施態様１記載の画像通信制御装置。
【００９２】
これにより、画像データの送信時に、何ら相手先の付加操作指示がない場合でも、登録されている相手先情報を参照することで、適応する敬称を自動的に付加した送信ヘッダを作成できる。
【００９３】
〔実施態様３〕
前記優先順位は、操作部からの設定、ボタン登録されている相手先情報付加有無の設定、装置に登録される相手先情報付加有無の設定の順に決定されることを特徴とする実施態様１記載の画像通信制御装置。
【００９４】
これにより、画像データの送信時に、何ら相手先の付加操作指示がない場合でも、操作部からの設定、ボタン登録されている相手先情報付加有無の設定、装置に登録される相手先情報付加有無の設定の順に判別されながら登録されている相手先情報を参照して、適応する敬称を自動的に付加した送信ヘッダを作成できる。
【００９５】
〔実施態様４〕
前記作成手段は、前記記憶手段に対する相手先情報に対する敬称情報が登録されていない場合、前記相手先情報からなる送信ヘッダを作成する（図１に示すＣＰＵ１０１が実行すべき、図７に示すステップ（２１７））ことを特徴とする実施態様１記載の画像通信制御装置。
【００９６】
これにより、相手先情報に対する敬称情報が登録されていない場合には、必要最小限の相手先情報を付加した送信ヘッダを作成することができる。
【００９７】
〔実施態様５〕
画像データの送信先となる相手先情報と該相手先情報に付加すべき敬称情報を記憶可能な記憶手段（例えば図１に示すＲＡＭ１０４の不揮発性領域に記憶される）を備え、所定の通信媒体を介して画像データの送受信処理を行う画像通信制御装置における画像通信制御方法であって、前記画像データの送信時に、前記画像データに対して送信ヘッダを付加するか否かを設定する複数の設定ステップ（図１に示す操作部１０６からの操作による設定、図１に示す操作部１０６に配置される、例えば図１に示すＲＡＭ１０４の不揮発性領域に登録される短縮ボタン、あるいはワンタッチボタンに割り当てられた送信先情報に対する設定）と、前記記憶手段に対する相手先情報と該相手先情報に付加すべき敬称情報との登録状態に基づいて送信ヘッダを作成する作成ステップ（図１に示すＣＰＵ１０１が実行する、例えば図７に示すステップ（２０７），（２１８），（２１７））と、前記複数の設定ステップによる設定状態を判別して、前記作成ステップにより作成される送信ヘッダと前記画像データとを合成して相手先に送信する第１の送信と、前記画像データを相手先に送信する第２の送信とを制御する制御ステップ（図１に示すＣＰＵ１０１が実行する、例えば図７に示すステップ（２０８）〜（２１６），（２２０））とを有することを特徴とする画像通信制御方法。
【００９８】
これにより、実施態様１と同様の効果が期待できる。
【００９９】
〔実施態様６〕
前記制御手段は、前記複数の設定手段による設定状態を優先順位（第１は送信操作時にユーザの設定による場合、第２はワンタッチ、短縮ダイヤル等の宛先情報に、宛先毎の設定による場合（宛先情報１４００に設定されている内容に従う）、第３は装置設定による場合であり、その優先順位は、第１＞第２＞第３となる）に基づいて階層的に判別することを特徴とする実施態様５記載の画像通信制御装置。
【０１００】
これにより、実施態様２と同様の効果が期待できる。
【０１０１】
〔実施態様７〕
前記優先順位は、操作部からの設定、ボタン登録されている相手先情報付加有無の設定、装置に登録される相手先情報付加有無の設定の順に決定されることを特徴とする実施態様５記載の画像通信制御方法。
【０１０２】
これにより、実施態様３と同様の効果が期待できる。
【０１０３】
〔実施態様８〕
前記作成ステップは、前記記憶手段に対する相手先情報に対する敬称情報が登録されていない場合、前記相手先情報からなる送信ヘッダを作成することを特徴とする請求項５記載の画像通信制御方法。
【０１０４】
これにより、実施態様４と同様の効果が期待できる。
【０１０５】
〔実施態様９〕
実施態様５〜８のいずれかに記載の画像通信制御方法を実行させるためのプログラムを格納したことを特徴とするコンピュータが読み取り可能な記憶媒体。
【０１０６】
これにより、実施態様５〜８と同様の効果が期待できる。
【０１０７】
〔実施態様１０〕
実施態様５〜８のいずれかに記載の画像通信制御方法を実行させることを特徴とするプログラム。
【０１０８】
これにより、実施態様５〜８と同様の効果が期待できる。
【図面の簡単な説明】
【０１０９】
【図１】本発明の一実施形態を示す画像通信制御装置の構成を説明するブロック図である。
【図２】図１に示したＲＡＭ上に記憶される装置情報パラメータのデータ構造を説明する図である。
【図３】図１に示したＲＡＭ上に記憶される通信管理情報パラメータの一例を示す図である。
【図４】図１に示したＲＡＭ上に記憶される画像情報の管理データの一例を示す図である。
【図５】図１に示したＲＡＭ上に記憶される宛先情報パラメータの一例を示す図である。
【図６】図１に示したＲＡＭ上に記憶される送信ヘッダの一例を示す図である。
【図７】本発明に係る画像通信制御装置におけるデータ処理手順の一例を示すフローチャートである。
【図８】本発明に係る画像通信制御装置で読み取り可能な各種データ処理プログラムを格納する記憶媒体のメモリマップを説明する図である。
【符号の説明】
【０１１０】
１０１  ＣＰＵ
１０３  ＲＯＭ
１０４  ＲＡＭ
１０６  操作部
【図１】
2006041973.tif 000003
【図２】
2006041973.tif 000004
【図３】
2006041973.tif 000005
【図４】
2006041973.tif 000006
【図５】
2006041973.tif 000007
【図６】
2006041973.tif 000008
【図７】
2006041973.tif 000009
【図８】
2006041973.tif 000010